(57)【特許請求の範囲】
【請求項１】
内蔵アンテナと、
放送波を受信するチューナと、
前記チューナのアンテナ入力端に一端を接続し、他端を前記内蔵アンテナに接続するインダクタと、
少なくとも前記インダクタの前記内蔵アンテナ側端及び前記アンテナ入力側端、アースラインがそれぞれ端子に接続され、外部アンテナのコネクタが接続される外部アンテナ接続用コネクタとを有し、
前記外部アンテナのコネクタが前記外部アンテナ接続用コネクタに接続されると、前記外部アンテナ接続用コネクタの前記アースラインを接続した端子と前記内蔵アンテナ側端が接続された端子とが前記外部アンテナのコネクタで接続されて前記内蔵アンテナが前記アースラインに接続されると共に、前記外部アンテナのコネクタで前記アンテナ入力側端が接続された端子に前記外部アンテナが接続されることにより、前記チューナのアンテナ入力端への接続が前記内蔵アンテナから前記外部アンテナに切り換えられる
ことを特徴とする受信装置。
【請求項２】
内蔵アンテナと、
放送波を受信するチューナと、
前記チューナのアンテナ入力端に一端を接続し、他端を前記内蔵アンテナに接続する第１の回路素子と、
少なくとも前記第１の回路素子の前記内蔵アンテナ側端及び前記アンテナ入力側端がそれぞれ端子に接続され、外部アンテナのコネクタが接続される外部アンテナ接続用コネクタとを有し、
前記外部アンテナのコネクタが前記外部アンテナ接続用コネクタに接続されると、前記外部アンテナのコネクタに設けられた第２の回路素子が前記第１の回路素子に並列接続されて前記第１及び第２の回路素子により前記チューナの受信周波数で共振するＬＣ共振回路が形成されると共に、前記アンテナ入力側端を接続した端子に前記外部アンテナが接続されることにより、前記チューナのアンテナ入力端への接続が前記内蔵アンテナから前記外部アンテナに切り換えられる
ことを特徴とする受信装置。
【請求項３】
受信装置に設けられた外部アンテナ接続用コネクタに外部アンテナのコネクタを接続して前記受信装置に接続される外部アンテナにおいて、
前記受信装置は、
内蔵アンテナと、
放送波を受信するチューナと、
前記チューナのアンテナ入力端に一端を接続し、他端を前記内蔵アンテナに接続するインダクタとを有し、
前記外部アンテナ接続用コネクタに、少なくとも前記インダクタの前記内蔵アンテナ側端及び前記アンテナ入力側端、アースラインをそれぞれ接続した端子が設けられ、
前記外部アンテナは、
前記インダクタの前記アンテナ入力側端を接続した端子にアンテナ素子を接続すると共に、前記インダクタの前記内蔵アンテナ側端を接続した端子及び前記アースラインを接続した端子を短絡するように、前記外部アンテナのコネクタが配線され、
前記外部アンテナのコネクタが前記外部アンテナ接続用コネクタに接続されると、前記外部アンテナ接続用コネクタにより前記内蔵アンテナを前記アースラインに接続すると共に、前記アンテナ入力端に前記アンテナ素子を接続して、前記チューナのアンテナ入力端への接続を前記内蔵アンテナから前記アンテナ素子に切り換える
ことを特徴とする外部アンテナ。
【請求項４】
前記アンテナ素子が、前記外部アンテナ接続用コネクタ、前記外部アンテナのコネクタを介して前記受信装置から入力されるオーディオ信号を伝送するケーブルである
ことを特徴とする請求項３に記載の外部アンテナ。
【請求項５】
受信装置に設けられた外部アンテナ接続用コネクタに外部アンテナのコネクタを接続して前記受信装置に接続される外部アンテナにおいて、
前記受信装置は、
内蔵アンテナと、
放送波を受信するチューナと、
前記チューナのアンテナ入力端に一端を接続し、他端を前記内蔵アンテナに接続する第１の回路素子とを有し、
前記外部アンテナ接続用コネクタに、少なくとも前記第１の回路素子の前記内蔵アンテナ側端及び前記アンテナ入力側端をそれぞれ接続した端子が設けられ、
前記外部アンテナは、
前記外部アンテナのコネクタに、前記第１の回路素子との並列接続により、前記チューナの受信周波数で共振するＬＣ共振回路を前記第１の回路素子と共に形成する第２の回路素子を有し、
前記第１の回路素子に前記第２の回路素子を並列接続すると共に、前記第１の回路素子の前記アンテナ入力側端を接続した端子にアンテナ素子を接続するように、前記外部アンテナのコネクタが配線され、
前記外部アンテナのコネクタが前記外部アンテナ接続用コネクタに接続されると、前記第１及び第２の回路素子で前記ＬＣ共振回路を形成すると共に、前記アンテナ入力端に前記アンテナ素子を接続して、前記チューナのアンテナ入力端への接続を前記内蔵アンテナから前記アンテナ素子に切り換える
ことを特徴とする外部アンテナ。
【請求項６】
前記アンテナ素子が、前記外部アンテナ接続用コネクタ、前記外部アンテナのコネクタを介して前記受信装置から入力されるオーディオ信号を伝送するケーブルである
ことを特徴とする請求項５に記載の外部アンテナ。
【請求項７】
所定の放送波を受信する受信装置と、前記受信装置の外部アンテナとによる受信システムにおいて、
前記受信装置は、
内蔵アンテナと、
前記放送波を受信するチューナと、
前記チューナのアンテナ入力端に一端を接続し、他端を前記内蔵アンテナに接続するインダクタと、
少なくとも前記インダクタの前記内蔵アンテナ側端及び前記アンテナ入力側端、アースラインがそれぞれ端子に接続され、前記外部アンテナのコネクタが接続される外部アンテナ接続用コネクタとを有し、
前記外部アンテナのコネクタが前記外部アンテナ接続用コネクタに接続されると、前記外部アンテナ接続用コネクタの前記アースラインを接続した端子と前記内蔵アンテナ側端が接続された端子とが前記外部アンテナのコネクタで接続されて前記内蔵アンテナが前記アースラインに接続されると共に、前記外部アンテナのコネクタで前記アンテナ入力側端が接続された端子に前記外部アンテナが接続されることにより、前記チューナのアンテナ入力端への接続が前記内蔵アンテナから前記外部アンテナに切り換えられる
ことを特徴とする受信システム。
【請求項８】
所定の放送波を受信する受信装置と、前記受信装置の外部アンテナとによる受信システムにおいて、
前記受信装置は、
内蔵アンテナと、
前記放送波を受信するチューナと、
前記チューナのアンテナ入力端に一端を接続し、他端を前記内蔵アンテナに接続する第１の回路素子と、
少なくとも前記第１の回路素子の前記内蔵アンテナ側端及び前記アンテナ入力側端がそれぞれ端子に接続され、前記外部アンテナのコネクタが接続される外部アンテナ接続用コネクタとを有し、
前記外部アンテナのコネクタが前記外部アンテナ接続用コネクタに接続されると、前記外部アンテナのコネクタに設けられた第２の回路素子が前記第１の回路素子に並列接続されて前記第１及び第２の回路素子により前記チューナの受信周波数で共振するＬＣ共振回路が形成されると共に、前記アンテナ入力側端を接続した端子に前記外部アンテナが接続されることにより、前記チューナのアンテナ入力端への接続が前記内蔵アンテナから前記外部アンテナに切り換えられる
ことを特徴とする受信システム。
【発明の詳細な説明】
【技術分野】
【０００１】
本発明は、受信装置、外部アンテナ及び受信システムに関し、例えばディジタルラジオ放送等を受信可能な携帯電話に適用することができる。本発明は、外部アンテナをコネクタにより着脱可能として、このコネクタの配線により、チューナのアンテナ入力端への接続を内蔵アンテナから外部アンテナに切り換えることにより、簡易な構成により損失を有効に回避して、外部アンテナと内蔵アンテナとを切り換えることができるようにする。
【背景技術】
【０００２】
従来、テレビジョン放送等を受信可能な携帯電話は、内蔵アンテナ、外部アンテナで放送波を受信している。ここで内蔵アンテナの場合、携帯電話のデザインが損なわれない特徴があるものの、外部アンテナに比して感度が劣り、内部ノイズの影響を受け易い等の欠点がある。これに対して外部アンテナには、ロッドアンテナ、イヤホンアンテナ等が使用される。
【０００３】
ここでロッドアンテナは、内蔵アンテナに比して感度等が優れる特徴があるものの、携帯電話のデザインが損なわれ、さらにはアンテナが突出する等の欠点がある。このため図４８に示すように、ロッドアンテナを採用する携帯電話システム１では、必要に応じてロッドアンテナ２を取り外せるように構成されたものが提案されている。すなわちこの携帯電話システム１では、ロッドアンテナ２の根元にコネクタ３が設けられ、図４９に示すように、このコネクタ３を携帯電話４のコネクタ５に接続すると、例えばコンデンサ６を介して携帯電話４に内蔵のチューナ７のアンテナ入力端にロッドアンテナ２が接続される。この携帯電話システム１では、コネクタ５からロッドアンテナ２を引き抜いて、ロッドアンテナ２を携帯電話４から取り外すことができる。
【０００４】
これに対してイヤホンアンテナは、オーディオ信号を伝送するケーブルがアンテナとして機能するアンテナであり、携帯電話のデザインを損なわないようにし、実用上十分な感度等を確保することができる。ここで図５０は、イヤホンアンテナによる携帯電話システムを示す斜視図である。この携帯電話システム１１は、中継ケーブル１２を介してイヤホン１３が携帯電話１４に接続される。なお以下において、このようにアンテナとして機能する外部アンテナの部位をアンテナ素子と呼ぶ。
【０００５】
すなわち中継ケーブル１２は、図５１に示すように、例えば３線式のフラットケーブル１５の両端にケーブル用のコネクタであるプラグ１６及びジャック１７が設けられる。中継ケーブル１２は、プラグ１６を携帯電話１４のコネクタ１８に接続してフラットケーブル１５の一端が携帯電話１４に接続される。またジャック１７にイヤホン１３のプラグ１９を接続してフラットケーブル１５の他端がイヤホン１３に接続される。なおイヤホン１３は、ケーブル２０の一端にプラグ１９が接続され、ケーブル２０の他端にスピーカ２１Ｌ及び２１Ｒが接続される。
【０００６】
携帯電話１４は、右チャンネル及び左チャンネルのオーディオ信号ＳＡＲ及びＳＡＬを出力する増幅回路２２Ｒ及び２２Ｌの出力端がそれぞれ高周波遮断回路２３Ｒ及び２３Ｌ、コネクタ１８、プラグ１６を介してフラットケーブル１５の対応するケーブル１５Ｒ、１５Ｌに接続され、このケーブル１５Ｒ、１５Ｌの他端がジャック１７を介してイヤホン１３に接続される。またこれらオーディオ信号ＳＡＲ及びＳＡＬのアースラインが高周波遮断回路２３Ｇ、コネクタ１８、プラグ１６を介してフラットケーブル１５の対応するケーブル１５Ｇに接続され、このケーブル１５Ｇの他端がジャック１７を介してイヤホン１３に接続される。これにより携帯電話システム１１では、中継ケーブル１２により携帯電話１４から出力されるオーディオ信号をイヤホン１３に伝送する。なおここで高周波遮断回路２３Ｒ、２３Ｌ、２３Ｇは、例えばチップインダクタにより構成され、ケーブル１５Ｒ、１５Ｌ、１５Ｇに誘起された高周波信号の携帯電話１４への進入を防止する。
【０００７】
携帯電話１４は、これら高周波遮断回路２３Ｒ、２３Ｌ、２３Ｇの何れかのコネクタ１８側端がコンデンサ６を介してチューナ７のアンテナ入力端に接続される。これによりこの携帯電話システム１１は、イヤホン１３のケーブル２０及びフラットケーブル１５に誘起された高周波信号をチューナ７に入力し、中継ケーブル１２及びイヤホン１３のケーブル１２、２０をアンテナ素子として機能させる。なおイヤホンアンテナは、中継ケーブル１５のケーブル１５のみをアンテナ素子として機能させる構成、イヤホン１３のケーブル２０のみをアンテナ素子として機能させる構成も提案されており、またフラットケーブルに代えて多芯の同軸ケーブルを使用するものも提案されている。
【０００８】
携帯電話１４では、厚みＴを薄くし、小型化することが望まれていることにより、携帯電話１４に設けられるコネクタ１８、このコネクタ１８に接続されるプラグ１６についても、厚みを薄くし、小型化することが求められる。また携帯電話１４は、落下の衝撃等を受ける場合もあり、これによりコネクタ１８、プラグ１６についても衝撃等に十分に耐えることが求められる。
【０００９】
そこで中継ケーブル１２は、配線基板を介してプラグ１６にケーブル１５が接続され、さらに樹脂によりモールディングされる。すなわち図５２は、中継ケーブル１２におけるプラグ１６の部位を示す分解斜視図である。ここでプラグ１６は、この図５２において、コネクタ１８との接続用に、下面側に複数の端子が設けられ、これらの各端子が上面側に飛び出すように設けられる。中継ケーブル１２は、配線基板２６に設けられたスルーホールにこの上面側に飛び出す各端子が挿入されて、各端子が配線基板２６に半田付けされた後、図５３に示すように、この配線基板２６にケーブル１５Ｌ、１５Ｒ、１５Ｇが半田付けにより接続される。
【００１０】
中継ケーブル１２は、他端側にジャック１７が接続された後、図５４に示すように、プラグ１６、ジャック１７を樹脂でモールディングして作成される。
【００１１】
このようにしてロッドアンテナ２、イヤホンアンテナ等による外部アンテナを使用する場合、外部アンテナを取り外すと、十分な電界強度が得られる場合でも、チューナ７へのアンテナ入力が極端に低下し、結局、テレビジョン放送等を受信できなくなる。
【００１２】
そこで外部アンテナを使用する携帯電話では、図５５に示すように、別途、内蔵アンテナ２８を有し、外部アンテナを取り外すと、内蔵の高周波スイッチ回路２７により、チューナ７のアンテナ入力を内蔵アンテナ２８に切り換え、外部アンテナを取り外した場合でも、テレビジョン放送を受信できるように構成されている。なお図５５に示すように、携帯電話４、１４では、各アンテナにマッチング回路を設け、インピーダンス整合を図る場合もある。
【００１３】
このようなアンテナの切り換えに関して、特開２００６−４１８２６号公報には、ダイバーシティの手法を適用して携帯電話のアンテナを切り換える方法が提案されている。
【００１４】
ところで内蔵の高周波スイッチ回路により、チューナのアンテナ入力を外部アンテナと内蔵アンテナとで切り換える場合、この高周波スイッチ回路の損失により感度が劣化する問題がある。またこの高周波スイッチ回路に加えて、高周波スイッチ回路を制御する制御回路等が必要になり、構成が複雑になる問題がある。
【特許文献１】特開２００６−４１８２６号公報
【発明の開示】
【発明が解決しようとする課題】
【００１５】
本発明は以上の点を考慮してなされたもので、高周波信号の損失を有効に回避して、外部アンテナと内蔵アンテナとを簡易に切り換えることができる受信装置、外部アンテナ及び受信システムを提案しようとするものである。
【課題を解決するための手段】
【００１６】
上記の課題を解決するため請求項１の発明は、受信装置に適用して、内蔵アンテナと、放送波を受信するチューナと、前記チューナのアンテナ入力端に一端を接続し、他端を前記内蔵アンテナに接続するインダクタと、少なくとも前記インダクタの前記内蔵アンテナ側端及び前記アンテナ入力側端、アースラインがそれぞれ端子に接続され、外部アンテナのコネクタが接続される外部アンテナ接続用コネクタとを有し、前記外部アンテナのコネクタが前記外部アンテナ接続用コネクタに接続されると、前記外部アンテナ接続用コネクタの前記アースラインを接続した端子と前記内蔵アンテナ側端が接続された端子とが前記外部アンテナのコネクタで接続されて前記内蔵アンテナが前記アースラインに接続されると共に、前記外部アンテナのコネクタで前記アンテナ入力側端が接続された端子に前記外部アンテナが接続されることにより、前記チューナのアンテナ入力端への接続が前記内蔵アンテナから前記外部アンテナに切り換えられるようにする。
【００１７】
また請求項２の発明は、受信装置に適用して、内蔵アンテナと、放送波を受信するチューナと、前記チューナのアンテナ入力端に一端を接続し、他端を前記内蔵アンテナに接続する第１の回路素子と、少なくとも前記第１の回路素子の前記内蔵アンテナ側端及び前記アンテナ入力側端がそれぞれ端子に接続され、外部アンテナのコネクタが接続される外部アンテナ接続用コネクタとを有し、前記外部アンテナのコネクタが前記外部アンテナ接続用コネクタに接続されると、前記外部アンテナのコネクタに設けられた第２の回路素子が前記第１の回路素子に並列接続されて前記第１及び第２の回路素子により前記チューナの受信周波数で共振するＬＣ共振回路が形成されると共に、前記アンテナ入力側端を接続した端子に前記外部アンテナが接続されることにより、前記チューナのアンテナ入力端への接続が前記内蔵アンテナから前記外部アンテナに切り換えられるようにする。
【００１８】
また請求項３の発明は、受信装置に設けられた外部アンテナ接続用コネクタに外部アンテナのコネクタを接続して前記受信装置に接続される外部アンテナに適用して、前記受信装置は、内蔵アンテナと、放送波を受信するチューナと、前記チューナのアンテナ入力端に一端を接続し、他端を前記内蔵アンテナに接続するインダクタとを有し、前記外部アンテナ接続用コネクタに、少なくとも前記インダクタの前記内蔵アンテナ側端及び前記アンテナ入力側端、アースラインをそれぞれ接続した端子が設けられ、前記外部アンテナは、前記インダクタの前記アンテナ入力側端を接続した端子にアンテナ素子を接続すると共に、前記インダクタの前記内蔵アンテナ側端を接続した端子及び前記アースラインを接続した端子を短絡するように、前記外部アンテナのコネクタが配線され、前記外部アンテナ側コネクタが前記外部アンテナ接続用コネクタに接続されると、前記外部アンテナ接続用コネクタにより前記内蔵アンテナを前記アースラインに接続すると共に、前記アンテナ入力端に前記アンテナ素子を接続して、前記チューナのアンテナ入力端への接続を前記内蔵アンテナから前記アンテナ素子に切り換えるようにする。
【００１９】
また請求項５の発明は、受信装置に設けられた外部アンテナ接続用コネクタに外部アンテナのコネクタを接続して前記受信装置に接続される外部アンテナに適用して、前記受信装置は、内蔵アンテナと、放送波を受信するチューナと、前記チューナのアンテナ入力端に一端を接続し、他端を前記内蔵アンテナに接続する第１の回路素子とを有し、前記外部アンテナ接続用コネクタに、少なくとも前記第１の回路素子の前記内蔵アンテナ側端及び前記アンテナ入力側端をそれぞれ接続した端子が設けられ、前記外部アンテナは、前記外部アンテナのコネクタに、前記第１の回路素子との並列接続により、前記チューナの受信周波数で共振するＬＣ共振回路を前記第１の回路素子と共に形成する第２の回路素子を有し、前記第１の回路素子に前記第２の回路素子を並列接続すると共に、前記第１の回路素子の前記アンテナ入力側端を接続した端子にアンテナ素子を接続するように、前記外部アンテナのコネクタが配線され、前記外部アンテナのコネクタが前記外部アンテナ接続用コネクタに接続されると、前記第１及び第２の回路素子で前記ＬＣ共振回路を形成すると共に、前記アンテナ入力端に前記アンテナ素子を接続して、前記チューナのアンテナ入力端への接続を前記内蔵アンテナから前記アンテナ素子に切り換えるようにする。
【００２０】
また請求項７の発明は、所定の放送波を受信する受信装置と、前記受信装置の外部アンテナとによる受信システムに適用して、前記受信装置は、内蔵アンテナと、前記放送波を受信するチューナと、前記チューナのアンテナ入力端に一端を接続し、他端を前記内蔵アンテナに接続するインダクタと、少なくとも前記インダクタの前記内蔵アンテナ側端及び前記アンテナ入力側端、アースラインがそれぞれ端子に接続され、前記外部アンテナのコネクタが接続される外部アンテナ接続用コネクタとを有し、前記外部アンテナのコネクタが前記外部アンテナ接続用コネクタに接続されると、前記外部アンテナ接続用コネクタの前記アースラインを接続した端子と前記内蔵アンテナ側端が接続された端子とが前記外部アンテナのコネクタで接続されて前記内蔵アンテナが前記アースラインに接続されると共に、前記外部アンテナのコネクタで前記アンテナ入力側端が接続された端子に前記外部アンテナが接続されることにより、前記チューナのアンテナ入力端への接続が前記内蔵アンテナから前記外部アンテナに切り換えられるようにする。
【００２１】
また請求項８の発明は、所定の放送波を受信する受信装置と、前記受信装置の外部アンテナとによる受信システムに適用して、前記受信装置は、内蔵アンテナと、前記放送波を受信するチューナと、前記チューナのアンテナ入力端に一端を接続し、他端を前記内蔵アンテナに接続する第１の回路素子と、少なくとも前記第１の回路素子の前記内蔵アンテナ側端及び前記アンテナ入力側端がそれぞれ端子に接続され、前記外部アンテナのコネクタが接続される外部アンテナ接続用コネクタとを有し、前記外部アンテナのコネクタが前記外部アンテナ接続用コネクタに接続されると、前記外部アンテナのコネクタに設けられた第２の回路素子が前記第１の回路素子に並列接続されて前記第１及び第２の回路素子により前記チューナの受信周波数で共振するＬＣ共振回路が形成されると共に、前記アンテナ入力側端を接続した端子に前記外部アンテナが接続されることにより、前記チューナのアンテナ入力端への接続が前記内蔵アンテナから前記外部アンテナに切り換えられるようにする。
【００２２】
請求項１、請求項３、又は請求項７の構成によれば、外部アンテナ接続用コネクタへの外部アンテナのコネクタの接続により、内蔵アンテナが接地されて内蔵アンテナが機能を停止し、また外部アンテナがチューナのアンテナ入力端に接続され、これによりコネクタにおける配線によりチューナのアンテナ入力端への接続を内蔵アンテナから外部アンテナに切り換えることができる。この場合、高周波スイッチ回路を設けることなくアンテナを切り換えることができ、高周波スイッチ回路を設けることによる損失の増大、構成の複雑化を防止することができる。
【００２３】
また請求項２、請求項５、又は請求項８の構成によれば、外部アンテナ接続用コネクタへの外部アンテナのコネクタの接続により、内蔵アンテナとチューナとの間にＬＣ共振回路が設けられて内蔵アンテナが機能を停止し、また外部アンテナがチューナのアンテナ入力端に接続され、これによりコネクタにおける配線によりチューナのアンテナ入力端への接続を内蔵アンテナから外部アンテナに切り換えることができる。この場合、高周波スイッチ回路を設けることなくアンテナを切り換えることができ、高周波スイッチ回路を設けることによる損失の増大、構成の複雑化を防止することができる。
【発明の効果】
【００２４】
本発明によれば、簡易な構成により損失を有効に回避して、外部アンテナと内蔵アンテナとを切り換えることができる。
【発明を実施するための最良の形態】
【００２５】
以下、適宜図面を参照しながら本発明の実施例を詳述する。
【実施例１】
【００２６】
（１）実施例の構成
図１は、本発明の実施例１の携帯電話システムを示すブロック図である。この携帯電話システム３１において、図４８、図４９、図５１に示す携帯電話システム１、１１と同一の構成は、対応する符号を付して示し、重複した説明は省略する。
【００２７】
ここでこの携帯電話システム３１において、携帯電話３４は、インダクタ３５、コンデンサ６を介して、内蔵アンテナ２８がチューナ７のアンテナ入力端に接続される。なおここで内蔵アンテナ２８は、例えば携帯電話３４の筐体裏面に所定形状の金属箔を貼り付けて作成され、チューナ７は、地上波ディジタル放送を受信するチューナである。ここでインダクタ３５は、内蔵アンテナ２８で不足するアンテナ長を補償してアンテナのマッチングを図るために設けられる。
【００２８】
携帯電話３４は、このインダクタ３５の両端が、コネクタ５の端子にそれぞれ接続される。またコネクタ５の所定の端子がアースラインに接続される。これにより図１との対比により図２に示すように、この携帯電話システム３１は、携帯電話３４のコネクタ５に何ら外部アンテナを接続しない場合には、内蔵アンテナに誘起される高周波信号をチューナ７に入力して、所望する放送波を受信する。
【００２９】
この携帯電話システム３１は、外部アンテナにロッドアンテナ２が適用され、インダクタ３５のコンデンサ６側端に対応するコネクタ３の端子に、ロッドアンテナ２が接続される。またインダクタ３５の内蔵アンテナ２８側端に対応するコネクタ３の端子と、コネクタ５のアースラインに対応するコネクタ３の端子とが、コネクタ３の部位で短絡される。なおこの図１において、括弧書により符号を示すように、ロッドアンテナ２に代えて、図５１について上述した中継ケーブル１２及びイヤホン１３によるイヤホンアンテナを外部アンテナに適用するようにしてもよい。
【００３０】
これにより携帯電話システム３１は、コネクタ３をコネクタ５に接続すると、コネクタ３、５を介してインダクタ３５のコンデンサ６側端にロッドアンテナ２が接続され、ロッドアンテナ２がチューナ７のアンテナ入力端に接続される。また内蔵アンテナ２８がコネクタ５、３を介して接地され、内蔵アンテナ２８による放送波の受信が中止される。またインダクタ３５により、内蔵アンテナ２８を接地した部位とロッドアンテナ２側の給電点が高周波的に分離され、ロッドアンテナ２による放送波の受信に支障を来さないように保持される。
【００３１】
ここで図３は、内蔵アンテナ２８、ロッドアンテナ２を接続しない場合のチューナ７のアンテナ入力を測定した測定結果を示す特性曲線図である。なおここで符号ＬＶ及びＬＨは、それぞれ垂直偏波及び水平偏波の測定結果である。また図４及び図５は、この図３による特性曲線の垂直偏波及び水平偏波の測定結果を示す図表である。また図６は、図３との対比により、内蔵アンテナ２８による受信感度を示す特性曲線図である。また図７及び図８は、この図６による特性曲線の垂直偏波及び水平偏波の測定結果を示す図表である。
【００３２】
これら図３〜図８によれば、アンテナを何ら接続しない場合、最大、−３０〔ｄＢ〕程度しか受信感度を確保し得ないものを、内蔵アンテナ２８の場合、感度を１０〔ｄＢ〕以上向上することができることが判る。なお図２〜図５の測定結果は、図９に示すように、携帯電話３４の配線基板に対応する所定の大きさによる矩形形状の金属板を設け、この金属板の長辺に沿って、所定間隔Ｌだけ金属板から離間して内蔵アンテナ２８に対応する導体を配置して測定した結果である。
【００３３】
これに対して図１０は、各周波数における内蔵アンテナ２８の実際の指向性を示す特性曲線図である。ここでこの指向性の測定は、携帯電話３４の操作パネルの正面を０度とした測定結果である。また図１１は、図３との対比により、この内蔵アンテナ２８の実際の利得の測定結果を示す特性曲線図であり、図１２は、この図１１の総合の利得を示す図表である。また図１３及び図１４は、この図１１の測定結果の垂直偏波及び水平偏波の測定結果を示す図表である。
【００３４】
これに対して図１５は、図１０との対比により、ロッドアンテナ２を取り付けた場合の、実際の指向性を示す特性曲線図である。また図１６は、図１１との対比により、ロッドアンテナ２による実際の利得の測定結果を示す特性曲線図であり、図１７〜図１９は、図１２〜図１４との対比により、図１１の測定結果を示す図表である。これら図１０〜図１９によれば、ロッドアンテナ２を接続することにより、感度、指向性が格段的に向上することが判る。
【００３５】
また図２０及び図２１は、それぞれ内蔵アンテナ２８及びロッドアンテナ２における定在波比を示す特性曲線図であり、地上波ディジタル放送の帯域をＢＷで示す。この図２０及び図２１によれば、内蔵アンテナ２８の場合には、必要とする帯域の全体で十分に定在波比を小さくすることが困難なものを、ロッドアンテナ２の場合には、必要とする帯域の全体で十分に定在波比を小さくできることが判る。
【００３６】
（２）実施例の動作
以上の構成において、この携帯電話システム３１では、携帯電話３４のコネクタ５に外部アンテナのコネクタ３を接続しない場合、内蔵アンテナ２８に誘起された高周波信号がインダクタ３５、コンデンサ６を介してチューナ７のアンテナ入力端に入力され（図２）、これによりチューナ７において、内蔵アンテナ２８により放送波を受信する（図３〜図８）。これによりこの携帯電話システム３１では、外部アンテナを接続しない場合に、内蔵アンテナ２８により放送波を受信することができ、この場合、携帯電話３４のデザインを損なわないようにすることができる。
【００３７】
しかしながら内蔵アンテナ２８は、外部アンテナに比して感度が低く、また携帯電話３４の内部で発生するノイズまでも受信してしまう欠点があり、これにより内蔵アンテナ２８は、強電界の地域等でしか使用することができない（図１０〜図１４）。
【００３８】
そこでこの携帯電話システム３１では、外部アンテナであるロッドアンテナ２のコネクタ３を携帯電話３４のコネクタ５に接続すると（図１）、ロッドアンテナ２が、コネクタ３、５、コンデンサ６を介してチューナ７のアンテナ入力端に接続される。また内蔵アンテナ２８の給電点が、コネクタ５、３を介して接地され、これにより内蔵アンテナ２８に誘起された高周波信号のチューナ７への出力が停止され、内蔵アンテナ２８が機能を停止する。またこのように内蔵アンテナ２８の給電点を接地して、インダクタ３５によりロッドアンテナ２に誘起された高周波信号のアースラインへの流出が防止される。
【００３９】
これによりこの場合、携帯電話３４では、コネクタ３の接続により、チューナ７のアンテナ入力端への接続が、内蔵アンテナ２８からロッドアンテナ２に切り換えられ、チューナ７は、ロッドアンテナ２により放送波を受信する。これによりこの携帯電話３４では、内蔵アンテナ２８より感度、指向性に優れたロッドアンテナ２により放送波を受信することにより（図１５〜図２１）、内蔵アンテナ２８により放送波を受信する場合に比して、電界強度が弱い地域でも安定して放送を受信することができる。また内蔵アンテナ２８による場合に比して、携帯電話３４で発生するノイズも受信しないようにすることができ、これによっても一段と安定に放送波を受信することができる。
【００４０】
またこの携帯電話システム３１では、この内蔵アンテナ２８と外部アンテナとの切り換えをコネクタ３の抜き差しにより実行できることにより、高周波スイッチ回路によりアンテナを切り換える場合の、高周波スイッチ回路による損失の発生を有効に回避することができる。また高周波スイッチ回路を設ける必要が無いことにより、構成を簡略化することができる。
【００４１】
（３）実施例の効果
以上の構成によれば、外部アンテナをコネクタにより着脱可能として、このコネクタの配線により、チューナのアンテナ入力端への接続を内蔵アンテナから外部アンテナに切り換えることにより、簡易な構成により損失を有効に回避して、外部アンテナと内蔵アンテナとを切り換えることができる。
【００４２】
より具体的に、インダクタを介して内蔵アンテナをチューナのアンテナ入力端に接続するようにし、外部アンテナのコネクタの接続により、このインダクタのチューナ側端に外部アンテナを接続すると共に、このインダクタの内蔵アンテナ側を接地することにより、簡易な構成により損失を有効に回避して、外部アンテナと内蔵アンテナとを切り換えることができる。
【実施例２】
【００４３】
図２２は、図１との対比により本発明の実施例２の携帯電話システムを示すブロック図である。この携帯電話システム４１は、外部アンテナに例えば図５１について上述したイヤホンアンテナが適用される。なおイヤホンアンテナに代えて、ロッドアンテナ等を適用するようにしてもよい。この携帯電話システム４１において、携帯電話４４は、インダクタ３５の内蔵アンテナ側端がコンデンサ４６を介してコネクタ１８に接続される点を除いて、実施例１の携帯電話３４と同一に構成される。またイヤホンアンテナを構成する中継ケーブル４２のプラグ１６は、第１の実施例のロッドアンテナ２に係るコネクタ３と同様に、このコネクタ１８に設けられた端子間を接続し、さらにはイヤホンアンテナをインダクタ３５のコンデンサ６側端に接続する。
【００４４】
これによりこの実施例において、携帯電話システム４１は、外部アンテナの接続によりコンデンサ４６を介して高周波的に内蔵アンテナ２８の給電点を接地し、内蔵アンテナ２８の機能を停止させる。またこのように内蔵アンテナ２８の機能を停止させた場合でも、直流的には、インダクタ３５の内蔵アンテナ２８側端を接地しないようにし、この内蔵アンテナ２８側端の直流的な接地による不都合を回避する。
【００４５】
なおこの内蔵アンテナ２８側端の直流的な接地による不都合にあっては、図５１の例において、アースラインのケーブル１５Ｇに代えて、オーディオ信号ＳＡＬ又はＳＡＲを伝送するケーブル１５Ｌ又は１５Ｒをアンテナとして機能させる場合等である。この場合、インダクタ３５のチューナ７側端にこのオーディオ信号ＳＡＬ又はＳＡＲを伝送するケーブル１５Ｌ又は１５Ｒが接続されることにより、直流的にインダクタ３５の内蔵アンテナ２８側端を接地したのでは、オーディオ信号ＳＡＬ又はＳＡＲを伝送することが困難になる。その結果、イヤホンアンテナのイヤホンとしての本来の機能が損なわれることになる。
【００４６】
しかしながらこの実施例によれば、外部アンテナを接続した場合でも、インダクタ３５のチューナ７側端にあっては、直流的には接地されない状態に保持され、これによりオーディオ信号ＳＡＬ又はＳＡＲを伝送することができる。
【００４７】
この実施例においては、外部アンテナのコネクタの接続により、コンデンサを介してインダクタの内蔵アンテナ側を接地することにより、外部アンテナをイヤホンアンテナ等により構成する場合に、このイヤホンアンテナ等の機能を損なうことなく、実施例１と同様の効果を得ることができる。
【実施例３】
【００４８】
図２３は、図２２との対比により本発明の実施例３の携帯電話システムを示すブロック図である。この携帯電話システム５１は、内蔵アンテナ２８を高周波的に接地するコンデンサ４６が、携帯電話５４に代えて、外部アンテナのプラグ１６に設けられる。また外部アンテナのマッチングを図るマッチング回路４９がコンデンサ６とインダクタ３５との間に設けられ、さらに内蔵アンテナ２８のマッチングを図るマッチング回路４８が内蔵アンテナ２８とインダクタ３５との間に設けられる。この実施例の携帯電話システム５１は、これらの構成が異なる点を除いて、実施例２の携帯電話システム４１と同一に構成される。
【００４９】
この実施例のように、内蔵アンテナ２８を高周波的に接地して内蔵アンテナの機能を停止させるコンデンサを外部アンテナのコネクタ側に設けるようにしても、実施例２と同様の効果を得ることができる。
【実施例４】
【００５０】
図２４は、図２２との対比により本発明の実施例４の携帯電話システムを示すブロック図である。この携帯電話システム６１は、外部アンテナのマッチングを図るマッチング回路４９がコンデンサ６とインダクタ３５との間に設けられ、さらに内蔵アンテナ２８のマッチングを図るマッチング回路４８が内蔵アンテナ２８とインダクタ３５との間に設けられる。この実施例の携帯電話システム６１は、これらの構成が異なる点を除いて、実施例２の携帯電話システム４１と同一に構成される。
【００５１】
この実施例のように各アンテナにマッチング回路を設けるようにすれば、実施例２の構成に比して一段と性能を向上することができる。
【実施例５】
【００５２】
図２５は、図２２との対比により本発明の実施例５の携帯電話システムを示すブロック図である。この携帯電話システム７１は、内蔵アンテナ２８のマッチングを図るマッチング回路４８が内蔵アンテナ２８とインダクタ３５との間に設けられる。またコンデンサ４７のコネクタ１８側端の電位をコントローラ７５により監視し、中継ケーブル７２が接続されて、このコンデンサ４７のコネクタ１８側端の電位がアース電位に立ち下がると、コントローラ７５により切替回路７６の設定を切り換える。
【００５３】
ここで切替回路７６は、中継ケーブル７２が接続されていない場合には、増幅回路２２Ｌ、２２Ｒから出力されるオーディオ信号ＳＡＬ、ＳＡＲを内蔵のスピーカ７７に出力する。また切替回路７６は、中継ケーブル７２が接続されると、ユーザーの操作に応動して内蔵のスピーカ７７へのオーディオ信号ＳＡＬ、ＳＡＲの出力を中止すると共に、このオーディオ信号ＳＡＬ、ＳＡＲをコネクタ１８の所定の端子に出力する。なおこの切替回路７６とコネクタ１８との間には、それぞれインダクタによる高周波遮断回路７７Ｒ、７７Ｌが設けられ、外部アンテナからの高周波信号の進入が防止される。またこれらオーディオ信号ＳＡＬ、ＳＡＲの端子に対応するアースラインの端子にあっても、同様にインダクタによる高周波遮断回路７７Ｇが設けられ、この高周波遮断回路７７Ｇを介して接地される。またさらにコントローラ７５とコネクタ１８との間にも、同様にインダクタによる高周波遮断回路７７Ｃが設けられ、中継ケーブル７２からの高周波信号の進入が防止される。
【００５４】
この携帯電話システム７１では、中継ケーブル１２に代えて、中継ケーブル７２によりイヤホンアンテナが構成される。ここで中継ケーブル７２は、多芯の同軸ケーブルである３芯の同軸ケーブル８５の両端にそれぞれプラグ１６及びジャック１７が設けられる。すなわち中継ケーブル７２は、同軸ケーブル８５の芯線ケーブル８５Ｇ、８５Ｒ、８５Ｌをシールドする被覆線８５Ｓがプラグ１６、コネクタ１８を介してコンデンサ６のインダクタ３５側端に接続され、これによりこの被覆線８５Ｓがアンテナとして機能するように設定される。
【００５５】
また中継ケーブル７２は、３芯の芯線ケーブル８５Ｇ、８５Ｒ、８５Ｌがそれぞれアースライン、右チャンネル用オーディオ信号ＳＡＲ、左チャンネル用オーディオ信号ＳＡＬに割り振られ、プラグ１６及びジャック１７の対応する端子に接続される。なおアースラインの芯線ケーブル８５Ｇは、インダクタによる高周波遮断回路８８Ｇを介してプラグ１６に接続される。
【００５６】
ここで図２６は、図３との対比により、長さ１５０〔ｍｍ〕の中継ケーブル７２のみを接続した場合の、チューナ入力を測定した測定結果を示す特性曲線図である。また図２７及び図２８は、この図２６による特性曲線の垂直偏波及び水平偏波の測定結果を示す図表である。これら図２６〜図２８によれば、単に中継ケーブルのみを接続する場合でも、ロッドアンテナとほぼ同等の感度を確保できることが判る。
【００５７】
ここで図２９〜図３１は、図２６〜図２８との対比により、内蔵アンテナ２８をコネクタ１８に接続するコンデンサ４７を省略して、図２６について上述した中継ケーブル７２を接続した場合の特性を示す特性曲線図及び図表である。これら図２９〜図３１によれば、単に内蔵アンテナ２８と中継ケーブル７２とを接続した場合には、内蔵アンテナ２８の影響により、矢印Ａにより示す周波数５２０〔ＭＨｚ〕付近で、急激な利得の低下が観察される。しかしながら図２６〜図２８によれば、このような急激な利得の低下が見られず、これによりこの実施例によれば、内蔵アンテナ２８の機能を確実に停止させて、内蔵アンテナ２８の影響を十分に防止できることが判る。
【００５８】
また図３２〜図３４は、図２６〜図２８との対比により、図２６について上述した中継ケーブル７２にさらにイヤホン１３を接続した場合の特性であり、図３５〜図３７は、コンデンサ４７を省略した状態で、中継ケーブル７２にさらにイヤホン１３を接続した場合の特性である。
【００５９】
ここで中継ケーブル７２にイヤホン１３を接続すると、同軸ケーブル８５の芯線ケーブル８５Ｌ、８５Ｒ、８５Ｇにイヤホン１３のケーブルが接続され、このイヤホン１３のケーブルに誘起された高周波信号が、芯線ケーブル８５Ｌ、８５Ｒ、８５Ｇと被覆線８５Ｓとの結合により被覆線８５Ｓに誘起される。その結果、イヤホン１３及び中継ケーブル７２は、モノポールアンテナとして機能することになり、この場合、アンテナ長が長くなった分、利得が増大することになる。
【００６０】
これにより図３２〜図３４によれば、イヤホン１３を接続しない場合に比して、利得の増大を確認することができる。また図３５〜図３７により、このように中継ケーブル７２にイヤホン１３を接続した場合でも、単に内蔵アンテナ２８と中継ケーブル７２とを接続した場合には、内蔵アンテナ２８の影響により、矢印Ａにより示す周波数５２０〔ＭＨｚ〕付近で、急激な利得の低下が観察される。
【００６１】
この実施例のように、中継ケーブルを多芯の同軸ケーブルにより作成し、この同軸ケーブルの被覆線をアンテナとして機能させてイヤホンアンテナを構成する場合でも、上述の実施例と同様の効果を得ることができる。
【実施例６】
【００６２】
図３８は、図２３との対比により本発明の実施例６の携帯電話システムを示すブロック図である。この携帯電話システム８１は、マッチング回路４８、コンデンサ８７、コンデンサ６、マッチング回路４９を順次介して内蔵アンテナ２８がチューナ７のアンテナ入力端に接続される。またコンデンサ８７の両端がコネクタ１８の端子に接続され、中継ケーブル１２の接続により、この中継ケーブル１２のプラグ１６に設けられたインダクタ８６が、コンデンサ８７に並列接続される。この実施例の携帯電話システム８１は、この内蔵アンテナ２８に関する接続が異なる点を除いて、図２３の携帯電話システム５１と同一に構成される。
【００６３】
これにより図３９に示すように、この携帯電話システム８１は、外部アンテナが接続されていない場合、内蔵アンテナ２８に誘起された高周波信号がマッチング回路４８、コンデンサ８７、コンデンサ６、マッチング回路４９を順次介してチューナ７のアンテナ入力端に入力され、内蔵アンテナ２８により放送波を受信する。
【００６４】
これに対して外部アンテナが接続されると、携帯電話システム８１は、内蔵アンテナ２８からチューナ７に至る経路に、コンデンサ８７及びインダクタ８６によるＬＣ共振回路が設けられることになる。ここでこの携帯電話システム８１は、チューナ７の受信周波数において、このＬＣ共振回路がＬＣ共振し、内蔵アンテナ２８側から見たこのＬＣ共振回路のインピーダンスが十分に高い値になるように、コンデンサ８７及びインダクタ８６の特性値が選定される。
【００６５】
これによりこの携帯電話システム８１では、外部アンテナの接続により内蔵アンテナ２８で誘起された高周波信号がチューナ７側に流出しないようにして、内蔵アンテナ２８の機能を停止させる。また外部アンテナに誘起された高周波信号の内蔵アンテナ２８側への流出を防止して、外部アンテナを使用した場合の性能の劣化を防止する。
【００６６】
この実施例によれば、ＬＣ共振回路により内蔵アンテナの機能を停止させるようにしても、上述の実施例と同様の効果を得ることができる。
【実施例７】
【００６７】
図４０は、図３８との対比により本発明の実施例７の携帯電話システムを示すブロック図である。この携帯電話システム９１は、コンデンサ８７及びインダクタ８６がそれぞれプラグ１６、携帯電話９４に設けられる点を除いて、図３８の携帯電話システム８１と同一に構成される。
【００６８】
この実施例のように、ＬＣ共振回路を構成するコンデンサ及びインダクタの位置を入れ換えるようにしても、実施例６と同一の効果を得ることができる。
【実施例８】
【００６９】
ところで上述の各実施例において、プラグ１６側に高周波遮断回路、コンデンサ等を配置する場合に、高周波遮断回路、コンデンサ等を構成するチップ部品を、図５３について上述した配線基板２６に実装することにより、これら高周波遮断回路、コンデンサ等の実装工程を簡略化することができると考えられる。
【００７０】
しかしながら実際上、プラグ１６にあっては、厚みが薄く、小型形状であることにより、配線基板２６に十分な部品実装スペースを確保することが困難な問題がある。特に、イヤホンアンテナを構成する中継ケーブルにあっては、イヤホン１３側のジャック１７の部位に携帯電話の動作を切り換えるリモートコマンダを設けたもの、マイクを有するイヤホンを接続するもの等もあり、これらの中継ケーブルでは、一段と部品実装スペースが小さくなり、チップ部品の実装が困難になる。
【００７１】
そこでこの実施例では、プラグ１６の部位に、別途、配線基板を設けるようにし、部品実装スペースを増大させる。
【００７２】
ここで図４１は、本発明の実施例８の携帯電話システムに適用される中継ケーブル１０２について、プラグ１６の部位を示す分解斜視図である。中継ケーブル１０２は、配線基板２６とほぼ同一の大きさによる配線基板１０６がフレキシブル配線基板１０７により配線基板２６に接続され、この配線基板１０６の片面又は両面にチップ部品が実装される。
【００７３】
中継ケーブル１０２は、配線基板１０６にチップ部品を実装した後、フレキシブル配線基板１０７により配線基板２６、１０６が接続される。その後、中継ケーブル１０２は、配線基板２６に設けられたスルーホールにプラグ１６の各端子が挿入された後、各端子が配線基板２６に半田付けされる。また配線基板２６の上に、絶縁シート１０８が配置された後、図４２に示すように、フレキシブル配線基板１０７が折り曲げられ、絶縁シート１０８を間に挟んで、配線基板２６に配線基板１０６が積層される。
【００７４】
中継ケーブル１０２は、その後、ケーブル１５Ｇ〜１５Ｒが接続された後、樹脂によりモールディングされる。なお絶縁シート１０８に代えて、配線基板２６及び１０６間に枠形状等のスペーサを介挿するようにしてもよい。
【００７５】
この実施例のように、コネクタの背面に配線基板を積層して配置すれば、従来に比して部品実装スペースを増大させることができる。
【実施例９】
【００７６】
図４３及び図４４は、図４１及び図４２との対比により、本発明の実施例９の携帯電話システムに適用される中継ケーブル１１２について、プラグ１６の部位を示す分解斜視図である。この実施例の中継ケーブルは、配線基板２６、１０６、フレキシブル配線基板１０７に代えて、フレキシブル配線基板１１６が設けられ、このフレキシブル配線基板１０７にチップ部品を実装する。またこのフレキシブル配線基板１１６に設けられたスルーホールによりプラグ１６の各端子を半田付けし、さらにケーブルＬＧ〜ＬＲを半田付けする。
【００７７】
この実施例のように、フレキシブル配線基板によりコネクタの背面に配線基板を積層して配置するようにしても、実施例８と同様の効果を得ることができる。
【実施例１０】
【００７８】
図４５及び図４６は、図４１及び図４２との対比により、本発明の実施例１０の携帯電話システムに適用される中継ケーブル１２２について、プラグ１６の部位を示す分解斜視図である。この実施例の中継ケーブルは、フレキシブル配線基板１０７が省略されると共に配線基板１０６にもスルーホールが設けられ、この配線基板１０６のスルーホールにプラグ１６の各端子を半田付けすることにより、配線基板２６及び１０６を接続する。
【００７９】
これによりこの中継ケーブル１２２は、配線基板２６に設けられたスルーホールにプラグ１６の各端子が挿入された後、各端子が配線基板２６に半田付けされ、これによりプラグ１６に配線基板２６が実装される。またその後、絶縁シート１０８が配置された後、配線基板１０６に設けられたスルーホールにプラグ１６の各端子が挿入されて半田付けされ、これによりプラグ１６に配線基板１０６が実装される。その後、中継ケーブル１２２は、ケーブル１５Ｇ〜１５Ｒが接続された後、図４７に示すように、樹脂によりモールディングされる。
【００８０】
この実施例のように、プラグの端子により配線基板間を接続して、コネクタの背面に配線基板を積層して配置するようにしても、実施例８と同様の効果を得ることができる。
【実施例１１】
【００８１】
なお上述の実施例においては、中継ケーブル及びイヤホンのケーブルによりアンテナ素子を構成したイヤホンアンテナを使用する場合について述べたが、本発明はこれに限らず、イヤホンのケーブルのみによりアンテナ素子を構成したイヤホンアンテナを使用する場合にも広く適用することができる。なおこの場合は、中継ケーブルを多芯の同軸ケーブルにより作成し、この同軸ケーブルをイヤホンケーブルで誘起された高周波信号の伝送路として使用する場合である。
【００８２】
また上述の実施例においては、中継ケーブルを介してイヤホンを携帯電話に接続する場合について述べたが、本発明はこれに限らず、イヤホンを直接携帯電話に接続してイヤホンアンテナとして機能させる場合にも広く適用することができる。
【００８３】
また上述の各実施例においては、それぞれロッドアンテナ又はイヤホンアンテナを外部アンテナとして使用する場合について述べたが、本発明はこれに限らず、ロッドアンテナに代えてイヤホンアンテナを外部アンテナとして使用してもよく、またこれとは逆にイヤホンアンテナに代えてロッドアンテナを外部アンテナとして使用してもよく、さらにはロッドアンテナ、イヤホンアンテナ以外の各種のアンテナを外部アンテナとして使用してもよい。なおこのロッドアンテナ、イヤホンアンテナ以外のアンテナとしては、例えばデータ、信号、電源を伝送する伝送路をアンテナ素子として使用する各種アンテナ、テレビジョン放送受信用の屋外アンテナ等である。
【００８４】
また上述の実施例では、オーディオ信号を増幅する増幅回路、オーディオ信号の出力を切り換えるコントローラ等を携帯電話側に設ける場合について述べたが、本発明はこれに限らず、これらの構成等をプラグの配線基板に設けるようにしてもよい。
【００８５】
また上述の実施例においては、テレビジョン放送受信機能を有する携帯電話に本発明を適用する場合について述べたが、本発明はこれに限らず、各種放送受信機能を有する携帯機器、各種の据え置き型の放送受信装置に広く適用することができる。
【産業上の利用可能性】
【００８６】
本発明は、例えばテレビジョン放送受信機能を有する携帯電話に適用することができる。
【図面の簡単な説明】
【００８７】
【図１】本発明の実施例１の携帯電話システムを示すブロック図である。
【図２】図１の携帯電話システムにおいて外部アンテナを取り外した状態を示すブロック図である。
【図３】図１の携帯電話システムにおいて、内蔵アンテナ、ロッドアンテナを接続しない場合のチューナのアンテナ入力を測定した測定結果を示す特性曲線図である。
【図４】図３による特性曲線の垂直偏波の測定結果を示す図表である。
【図５】図３による特性曲線の水平偏波の測定結果を示す図表である。
【図６】図１の携帯電話システムにおいて、内蔵アンテナによる受信感度を示す特性曲線図である。
【図７】図６による特性曲線の垂直偏波の測定結果を示す図表である。
【図８】図６による特性曲線の水平偏波の測定結果を示す図表である。
【図９】図２〜図５の測定に使用した内蔵アンテナのモデルを示す斜視図である。
【図１０】図１の携帯電話システムにおいて、各周波数における内蔵アンテナの実際の指向性を示す特性曲線図である。
【図１１】図１の携帯電話システムにおいて、内蔵アンテナの実際の利得の測定結果を示す特性曲線図である。
【図１２】図１１の測定結果の総合の利得を示す図表である。
【図１３】図１１の測定結果の垂直偏波の測定結果を示す図表である。
【図１４】図１１の測定結果の水平偏波の測定結果を示す図表である。
【図１５】図１の携帯電話システムにおいて、ロッドアンテナを取り付けた場合の指向性を示す特性曲線図である。
【図１６】図１の携帯電話システムにおいて、ロッドアンテナを取り付けた場合の利得を示す特性曲線図である。
【図１７】図１６の測定結果の総合の利得を示す図表である。
【図１８】図１６の測定結果の垂直偏波の測定結果を示す図表である。
【図１９】図１６の測定結果の水平偏波の測定結果を示す図表である。
【図２０】図１の携帯電話システムにおいて、内蔵アンテナにおける定在波比を示す特性曲線図である。
【図２１】図１の携帯電話システムにおいて、ロッドアンテナにおける定在波比を示す特性曲線図である。
【図２２】本発明の実施例２の携帯電話システムを示すブロック図である。
【図２３】本発明の実施例３の携帯電話システムを示すブロック図である。
【図２４】本発明の実施例４の携帯電話システムを示すブロック図である。
【図２５】本発明の実施例５の携帯電話システムを示すブロック図である。
【図２６】図２５の携帯電話システムにおいて、所定長さの中継ケーブルのみを接続した場合のチューナ入力を示す特性曲線図である。
【図２７】図２６による特性曲線の垂直偏波の測定結果を示す図表である。
【図２８】図２６による特性曲線の水平偏波の測定結果を示す図表である。
【図２９】図２５の携帯電話システムにおいて、所定長さの中継ケーブルを内蔵アンテナと共に接続した場合のチューナ入力を示す特性曲線図である。
【図３０】図２９による特性曲線の垂直偏波の測定結果を示す図表である。
【図３１】図２９による特性曲線の水平偏波の測定結果を示す図表である。
【図３２】図２５の携帯電話システムにおいて、中継ケーブルにさらにイヤホンを接続した場合の特性を示す特性曲線図である。
【図３３】図３２による特性曲線の垂直偏波の測定結果を示す図表である。
【図３４】図３２による特性曲線の水平偏波の測定結果を示す図表である。
【図３５】図２５の携帯電話システムにおいて、所定長さの中継ケーブルを内蔵アンテナと共に接続した状態で、この中継ケーブルにさらにイヤホンを接続した場合の特性を示す特性曲線図である。
【図３６】図３５による特性曲線の垂直偏波の測定結果を示す図表である。
【図３７】図３５による特性曲線の水平偏波の測定結果を示す図表である。
【図３８】本発明の実施例６の携帯電話システムを示すブロック図である。
【図３９】図３８の携帯電話システムにおいて外部アンテナが接続されていない状態を示すブロック図である。
【図４０】本発明の実施例７の携帯電話システムを示すブロック図である。
【図４１】本発明の実施例８の携帯電話システムにおいて、プラグの部位を示す分解斜視図である。
【図４２】図４１の組図である。
【図４３】本発明の実施例９の携帯電話システムにおいて、プラグの部位を示す分解斜視図である。
【図４４】図４３の組図である。
【図４５】本発明の実施例１０の携帯電話システムにおいて、プラグの部位を示す分解斜視図である。
【図４６】図４５の組図である。
【図４７】図４６の続きの工程の説明に供する斜視図である。
【図４８】ロッドアンテナを採用する従来の携帯電話システムを示す斜視図である。
【図４９】図４８の携帯電話システムのブロック図である。
【図５０】従来のイヤホンアンテナによる携帯電話システムを示す斜視図である。
【図５１】図５０の携帯電話システムのブロック図である。
【図５２】図５１の携帯電話システムにおいて、プラグの部位を示す分解斜視図である。
【図５３】図５２のプラグの部位の組み立ての説明に供する斜視図である。
【図５４】中継ケーブルを示す平面図である。
【図５５】従来のアンテナ切り替えの説明に供するブロック図である。
【符号の説明】
【００８８】
１、１１、３１、４１、５１、６１、７１、８１、９１……携帯電話システム、２……ロッドアンテナ、３、５、１８……コネクタ、４、１４、３４、４４、５４、６４、７４、８４、９４……携帯電話、６、３６、４６、８７……コンデンサ、７……チューナ、１２、４２、７２、１０２、１１２、１２２……中継ケーブル、１３……イヤホン、１５……フラットケーブル、１６、１９……プラグ、１７……ジャック、２０……ケーブル、２２Ｌ、２２Ｒ……増幅回路、２３Ｌ、２３Ｒ、２３Ｇ、７７Ｌ、７７Ｒ、７７Ｇ、７７Ｃ、８８Ｇ……高周波遮断回路、２６、１０６……配線基板、２８……内蔵アンテナ、３５、８６……インダクタ、４７、４８……マッチング回路、８５……同軸ケーブル、８５Ｄ……被覆線、８５Ｌ、８５Ｒ、８５Ｇ……芯線ケーブル、１０７、１１６……フレキシブル配線基板
【図１】
0004893530.tif 000002
【図２】
0004893530.tif 000003
【図３】
0004893530.tif 000004
【図４】
0004893530.tif 000005
【図５】
0004893530.tif 000006
【図６】
0004893530.tif 000007
【図７】
0004893530.tif 000008
【図８】
0004893530.tif 000009
【図９】
0004893530.tif 000010
【図１０】
0004893530.tif 000011
【図１１】
0004893530.tif 000012
【図１２】
0004893530.tif 000013
【図１３】
0004893530.tif 000014
【図１４】
0004893530.tif 000015
【図１５】
0004893530.tif 000016
【図１６】
0004893530.tif 000017
【図１７】
0004893530.tif 000018
【図１８】
0004893530.tif 000019
【図１９】
0004893530.tif 000020
【図２０】
0004893530.tif 000021
【図２１】
0004893530.tif 000022
【図２２】
0004893530.tif 000023
【図２３】
0004893530.tif 000024
【図２４】
0004893530.tif 000025
【図２５】
0004893530.tif 000026
【図２６】
0004893530.tif 000027
【図２７】
0004893530.tif 000028
【図２８】
0004893530.tif 000029
【図２９】
0004893530.tif 000030
【図３０】
0004893530.tif 000031
【図３１】
0004893530.tif 000032
【図３２】
0004893530.tif 000033
【図３３】
0004893530.tif 000034
【図３４】
0004893530.tif 000035
【図３５】
0004893530.tif 000036
【図３６】
0004893530.tif 000037
【図３７】
0004893530.tif 000038
【図３８】
0004893530.tif 000039
【図３９】
0004893530.tif 000040
【図４０】
0004893530.tif 000041
【図４１】
0004893530.tif 000042
【図４２】
0004893530.tif 000043
【図４３】
0004893530.tif 000044
【図４４】
0004893530.tif 000045
【図４５】
0004893530.tif 000046
【図４６】
0004893530.tif 000047
【図４７】
0004893530.tif 000048
【図４８】
0004893530.tif 000049
【図４９】
0004893530.tif 000050
【図５０】
0004893530.tif 000051
【図５１】
0004893530.tif 000052
【図５２】
0004893530.tif 000053
【図５３】
0004893530.tif 000054
【図５４】
0004893530.tif 000055
【図５５】
0004893530.tif 000056